(57)【特許請求の範囲】
【請求項１】
第１被接触領域にて指の接触を検知して接触情報を取得するタッチセンサと、
前記第１被接触領域に隣接する第２被接触領域にて指の凹凸を検知して指紋検出を行う指紋センサと、
前記第１被接触領域にて指の接触があったことを検知すると、前記第２被接触領域において前記指紋検出を開始可能な状態に設定する制御部と、
を備え、
前記指紋センサは、
前記第２被接触領域上で指を走査させることにより前記指紋検出を行う
携帯電子機器。
【請求項２】
前記第１被接触領域は前記第２被接触領域に隣接する領域に隣接領域を備え、
前記制御部は、
前記隣接領域にて指の接触があったことを検知すると、前記第２被接触領域において前記指紋検出を開始可能な状態に設定する
請求項１記載の携帯電子機器。
【請求項３】
第１被接触領域にて指の接触を検知して接触情報を取得するタッチセンサと、
前記第１被接触領域内の第２被接触領域にて指の凹凸を検知して指紋検出を行う指紋センサと、
前記第１被接触領域で指の接触があったことを検知すると、前記第２被接触領域において、前記指紋検出を開始可能な状態に設定し、前記指紋検出を開始可能な状態に設定した後に、指紋検出が完了するか、或いは所定時間経過しても指紋検出が行われなかった場合に、前記指紋検出を開始可能な状態を終了するように制御する制御部と、
を備え、
前記指紋センサは、
前記第２被接触領域上で指を走査させることにより前記指紋検出を行う
携帯電子機器。
【請求項４】
前記制御部は、
指の特定の動きを検出すると、前記第２被接触領域において前記指紋検出を開始可能な状態に設定する
請求項１または請求項３に記載の携帯電子機器。
【発明の詳細な説明】
【技術分野】
【０００１】
本発明は、タッチセンサを備えた携帯電話機等の携帯電子機器に関するものである。
【背景技術】
【０００２】
従来、タッチセンサを搭載した携帯電子機器が知られている。ユーザは、このタッチセンサに触れることで画面上のポインタを移動させ、スクロール等、キー操作の補助を行うことができる（例えば、特許文献１参照）。
【０００３】
また、指紋センサを搭載した携帯電子機器も知られている。ユーザは、この指紋センサに指紋を読取らせることにより、例えば、ロックを解除することができる（例えば、特許文献２参照）。
【特許文献１】特開２００２−３３３９５１号公報
【特許文献２】特開２００５−３１９２９４号公報
【発明の開示】
【発明が解決しようとする課題】
【０００４】
ところで、上記したタッチセンサと指紋センサの双方を携帯電話機に搭載しようとした場合、タッチパネルと指紋センサの双方における接触の有無を常に監視する必要があった。
【０００５】
本発明の目的は、タッチセンサと指紋センサの双方を搭載した場合に、双方における接触の有無を、無駄なく監視することが可能な、携帯電子機器を提供することにある。
【課題を解決するための手段】
【０００６】
本発明の携帯電子機器は、第１被接触領域にて指の接触を検知して接触情報を取得するタッチセンサと、前記第１被接触領域に隣接する第２被接触領域にて指の凹凸を検知して指紋検出を行う指紋センサと、前記第１被接触領域にて指の接触があったことを検知すると、前記第２被接触領域において前記指紋検出を開始可能な状態に設定する制御部と、を備え、前記指紋センサは、前記第２被接触領域上で指を走査させることにより前記指紋検出を行う。
【０００７】
また、本発明の携帯電子機器において、前記第１被接触領域は、前記第２被接触領域に隣接する領域に隣接領域を備え、前記制御部は、前記隣接領域にて指の接触があったことを検知すると、前記第２被接触領域において、前記指紋検出を開始可能な状態に設定するものである。
【０００９】
また、本発明の携帯電子機器は、第１被接触領域にて指の接触を検知して接触情報を取得するタッチセンサと、前記第１被接触領域内の第２被接触領域にて指の凹凸を検知して指紋検出を行う指紋センサと、前記第１被接触領域で指の接触があったことを検知すると、前記第２被接触領域において、前記指紋検出を開始可能な状態に設定し、前記指紋検出を開始可能な状態に設定した後に、指紋検出が完了するか、或いは所定時間経過しても指紋検出が行われなかった場合に、前記指紋検出を開始可能な状態を終了するように制御する制御部と、を備えるものである。
また、本発明の携帯電子機器において、前記制御部は、指の特定の動きを検出すると、前記第２被接触領域において、前記指紋検出を開始可能な状態に設定するものである。
【発明の効果】
【００１０】
本発明によれば、タッチセンサと指紋センサの双方を搭載した場合に、双方における接触の有無を、無駄なく監視することが可能な、携帯電子機器を提供することができる。
【発明を実施するための最良の形態】
【００１１】
図１は、本発明の実施の形態に係る携帯電子機器の外観構造の一例を示す図である。ここでは、本発明の実施の形態に係る携帯電子機器として、折り畳み型の携帯電話機１０が例示されている。
【００１２】
図１に示されるように、携帯電話機１０は、上部筐体１０１と、下部筐体１０２と、ヒンジ部１０３と、を有する。
【００１３】
図１（ａ）は、携帯電話機１０が開かれた状態（開状態）を示した図であり、図１（ｂ）は携帯電話機１０が折り畳まれた状態（閉状態）を示した図である。
図１（ａ）に示されるように、上部筐体１０１には、図１（ｂ）に示す携帯電話機１０の閉状態においては外部には露出しない一面に表示部１４が配置されている。
【００１４】
また、図１（ａ）に示されるように、下部筐体１０２には、図１（ｂ）に示す携帯電話機１０の閉状態において外部には露出しない一面に操作部１２が配置されている。下部筐体１０２には更に、後述するタッチセンサと指紋センサとからなるセンサ入力部１６が実装配置されている。センサ入力部１６におけるタッチセンサと指紋センサの実装配置関係等、詳細は後述する。
【００１５】
ヒンジ部１０３は、上部筐体１０１と下部筐体１０２とを開閉し、図１（ａ）に示す携帯電話機１０の開状態と図１（ｂ）に示す閉状態とを遷移可能とする回転軸を有するヒンジ機構である。
なお、携帯電話機１０の開状態／閉状態は、内蔵する制御部（ここでは不図示）により監視されており、制御部は携帯電話機１０の閉状態を検出することが可能である。
具体的には、例えば上部筐体１０１に配置した図示しない突起部により、下部筐体１０２の図示しない検出スイッチが押しているか否かを制御部が監視することにより閉状態を検出している。
すなわち、制御部は、検出スイッチが押下されていれば閉状態、そうでなければ開状態と判定する。
【００１６】
図２は、本発明の実施の形態に係る携帯電子機器（携帯電話機１０）の電気系の内部構成を示すブロック図である。
図２に示されるように、携帯電話機１０は、通信部１１、操作部１２、ＣＯＤＥＣ（COder DECorder）部１３、表示部１４、撮像部１５、センサ入力部１６、記憶部１７、制御部１８のそれぞれが、アドレス、データ、コントロールのためのラインが複数本からなるシステムバス１９に共通に接続され、構成されている。
【００１７】
通信部１１は、無線通信システムを捕捉し、通信ネットワークに接続される図示しない基地局との間で無線通信を行い、各種データの送受信を行う。
各種データとは、音声通話時の音声データ、メール送受信時のメールデータ、ウェブ閲覧時のウェブページデータ等である。
【００１８】
操作部１２は、例えば、電源キー、通話キー、数字キー、文字キー、方向キー、決定キー、発信キー、ファンクションキーなど、各種の機能が割り当てられたキーを有している。
操作部１２は、これらのキーが操作者によって操作された場合に、その操作内容に対応する信号を発生し、これを操作者の指示として制御部１８に出力する。
【００１９】
ＣＯＤＥＣ部１３は、スピーカから出力される音声信号やマイクロフォンにおいて入力される音声信号の入出力処理を行う。
すなわち、ＣＯＤＥＣ部１３は、マイクロフォンから入力された音声を増幅し、アナログ−デジタル変換を行い、更に符号化等の信号処理を施し、デジタルの音声データに変換して制御部１８に出力する。
また、ＣＯＤＥＣ部１３は、制御部１８から供給される音声データに復号化、デジタル−アナログ変換、増幅等の信号処理を施し、アナログの音声信号に変換してスピーカに出力する。
【００２０】
表示部１４は、多数の画素（複数色の発光素子の組み合わせ）を縦横に配して構成される、例えばＬＣＤ（Liquid Crystal Display Device）や有機ＥＬ（Electro-Luminescence）デバイスを用いて構成されている。
表示部１４は、制御部１８により生成され記憶部１７の所定の領域（ＶＲＡＭ領域）に書き込まれた文書等の表示対象データに応じた画像を表示する。
表示部１４は、例えば、通信部１１による無線発信時における発信先の電話番号、着信時における発信元の電話番号、受信メールや送信メールの内容、Ｗｅｂページ、日付、時刻、電池残量、発信成否、文書、待ち受け画面等を表示する。
【００２１】
撮像部１５は、ＣＣＤ(Charge Coupled Device)やＣＭＯＳ(Complementary Metal Oxide Semiconductor)イメージセンサ等の光電変換素子とその制御回路等により構成される携帯電話機１０に内蔵されたカメラである。
【００２２】
センサ入力部１６は、上記したように、タッチセンサ１６１と、指紋センサ１６２と、により構成される。図３（ａ）（ｂ）（ｃ）（ｄ）に、タッチセンサ１６１と指紋センサ１６２との実装位置関係、および指の移動軌跡が示されている。ここでは、タッチセンサ１６１内に指紋センサ１６２が実装配置されるものとする。
また、図３（ａ）（ｂ）（ｃ）（ｄ）中、太線矢印が指の移動軌跡を示すものとする。更に、接触する指の移動に関し、タッチセンサ１６１が反応する範囲を第１被接触領域Ａ、指紋センサ１６２が反応する範囲を第２被接触領域Ｂという。
このため、第１被接触領域Ａ内に第２被接触領域Ｂが割当てられる。
【００２３】
図３（ａ）は、第１被接触領域Ａの領域ａに指が触れた場合に、第２被接触領域Ｂ（の指紋センサ１６２）に対して検出方向を下方向に設定する例を示している。
図３（ｂ）は、第１被接触領域Ａの領域ｂに指が触れた場合に、第２被接触領域Ｂ（の指紋センサ１６２）に対して検出方向を上方向に設定する例を示している。
図３（ｃ）は、第１被接触領域Ａの領域ｃに指が触れた場合に、第２被接触領域Ｂ（の指紋センサ１６２）に対して検出方向を右方向に設定する例を示している。
図３（ｄ）は、第１被接触領域Ａの領域ｄに指が触れた場合に、第２被接触領域Ｂ（の指紋センサ１６２）に対して検出方向を左方向に設定する例を示している。
【００２４】
タッチセンサ１６１は、例えば、第１被接触領域Ａにて、指の接触を検知して接触情報を取得する機能を有し、指紋センサ１６２は、第１被接触領域Ａに隣接する第２被接触領域Ｂにて、指の凹凸を検知して指紋検出を行う機能を有する。
【００２５】
タッチセンサ１６１は、例えば、小型化に適した静電容量方式を用いたタイプを使用するものとし、この場合、構造的には、平面上に、Ｘ、Ｙ方向のそれぞれに絶縁体を挟んで複数の電極が格子状（マトリクス）に配置された構成を有する。
電極は、いずれも一定容量のキャパシタの役割をはたし、指が電極に近づくと、導体である指に影響され、いわゆる静電誘導により電界の一部が指方向に捻じ曲げられ、これにより、容量が変化（例えば、数ｐＦ）する。
このため、後述する制御部１８は、上記した容量変化が格子状に配置されたどの位置で発生したかについて、Ｘ、Ｙ方向のそれぞれに配置された電極間での電位を参照することにより検出することができる。
【００２６】
指紋センサ１６２もタッチセンサ１６１同様、例えば、静電容量方式を用いたタイプを使用するものとし、この場合、構造的には、硬い保護膜の下に多数の電極が並んでおり、この電極に、指表面と電極の距離に応じた電荷が溜まる構造を有する。
指紋センサ１６２は、各電極の電荷量をセンスしてＡＤ（Analog-Digital）変換を行うことにより指紋イメージを出力する。
指紋センサ１６２は、例えば、電極のピッチを数十μｍとすれば、２００μｍ以上の指の凹凸を高い精度で検出ができる。
【００２７】
最近では、小型化、省電力化のために固定型に代わり、図３（ａ）（ｂ）（ｃ）（ｄ）に示したように、縦横任意の方向から電極を指でなぞることにより検出するスイープ型が知られている。
なお、固定型、スイープ型いずれのタイプも、後述する制御部１８が実行する指紋認証ソフトウェアにより、パターンマッチング処理、あるいは特徴点抽出を行い、登録データとの照合を行う。
【００２８】
記憶部１７は、携帯電話機１０の各種処理に利用される各種データを記憶する。
記憶部１７は、例えば、制御部１８が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
なお、記憶部１７は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２９】
制御部１８は、携帯電話機１０の全体的な動作を統括的に制御する。
すなわち、制御部１８は、携帯電話機１０の各種処理が操作部１２の操作に応じて適切な手順で実行されるように、上述した各制御ブロックの動作を制御する。
制御部１８が制御する各種処理としては、回線交換網を介して行われる音声通話、電子メールの作成と送受信、インターネットのＷｅｂ（World Wide Web）サイトの閲覧などが挙げられる。
また、制御部１８が制御する各制御ブロックの動作としては、通信部１１における信号の送受信、ＣＯＤＥＣ部１３における音声入出力、表示部１４における画像の表示、撮像部１５における撮像処理等を挙げることができる。
【００３０】
制御部１８は、記憶部１７に格納されたプログラム、たとえばオペレーティングシステム、アプリケーションプログラム等に基づいて処理を実行するコンピュータ（マイクロプロセッサ）を備えている。
制御部１８は、このプログラムにおいて指示された手順に従って上述した処理を実行する。すなわち、制御部１８は、記憶部１７に格納されるオペレーティングシステムやアプリケーションプログラム等のプログラムから命令コードを順次読み込んで処理を実行する。
【００３１】
制御部１８は、更に、第２被接触領域Ｂが第１被接触領域Ａに隣接して位置する場合、第１被接触領域Ａにて指の接触があったことを検知すると（例えば、図３（ａ）の領域ａにて指の接触を検知）、第２被接触領域Ｂにおいて、指紋検出を開始可能な状態に設定する機能を有する。尚、ここで隣接とは、必ずしも領域同士が接触している場合のみをいうのではなく、間に他の素子（例えばキーボタン等）が介在していない場合を含む。
また、制御部１８は、第２被接触領域Ｂが第１被接触領域Ａ内に位置する場合（例えば、図３（ａ）（ｂ）（ｃ）（ｄ））、第１被接触領域Ａのある領域（例えば、図３（ａ）の領域ａ）で指の接触があったことを検知すると、第２被接触領域Ｂにおいて指紋検出を開始可能な状態に設定する機能を有する。
制御部１８は、指紋検出を開始可能な状態に設定した後に、指紋検出が完了するか、或いは所定時間経過しても指紋検出が行われなかった場合には、指紋検出を開始可能な状態を終了するように制御する。
【００３２】
このため、制御部１８が実行するプログラムの構造は、図４に機能展開して示されるように、主制御部１８０と、接触情報取得部１８１と、指紋情報検知部１８２と、直交座標情報変換部１８３と、領域判定部１８４と、モード制御部１８５と、指紋認証部１８６とにより構成される。
【００３３】
接触情報取得部１８１は、タッチセンサ１６１により検出される、第１被接触領域Ａへの指の接触の有無、および接触位置に関する情報を取得して直交座標変換部１８３に出力する。
【００３４】
直交座標変換部１８３は、タッチセンサ１６１により検出される接触位置情報から演算により直交座標値に変換して領域判定部１８４に出力する。
【００３５】
領域判定部１８４は、直交座標変換部１８３により生成された直交座標値を、予め設定された境界値（第１被接触領域Ａと第２被接触領域Ｂとの直交座標値）と比較することにより、指が第１被接触領域Ａから第２被接触領域Ｂを跨いだタイミングを判定してモード制御部１８５による指紋センサ１６２の動作モード（「待機モード」と、「検出モード」と、「休止モード」）を制御する。
【００３６】
ここで、「待機モード」とは、指紋センサ１６２に対して不図示の電源が供給（あるいは供給再開）され、必要に応じてスキャン方向が設定され、指紋センサ１６２による指紋検出が可能な状態に設定する動作モードをいう。
「検出モード」とは、指紋センサ１６２で指紋情報を採取して指紋認証を行う動作モードをいう。
「休止モード」とは、電源供給が停止されて指紋センサ１６２による指紋検出ができない状態、或いは、待機モードよりも消費電力の低い低消費電力モードである状態をいう。
【００３７】
なお、指紋認証部１８６は、検出された指紋情報から、例えば、特徴点（端点、分岐点）を抽出し、当該抽出された特徴点情報を記憶部１７の所定の領域に保持し、特徴点からなる登録データと照合することにより指紋認証を行う機能を有する。
【００３８】
また、主制御部１８０は、制御部１８としての機能を実現するために、上記した各機能ブロック１８１〜１８６のシーケンス制御を行う。
制御部１８としての機能には、第２被接触領域Ｂが第１被接触領域Ａに隣接して位置する場合、第１被接触領域Ａにて指の接触があったことを検知すると、第２被接触領域Ｂにおいて、指紋検出を開始可能な状態に設定する制御部１８としての機能が含まれる。
あるいは、第２被接触領域Ｂが第１被接触領域Ａ内に位置する場合、第１被接触領域Ａのある領域で指の接触があったことを検知すると、第２被接触領域Ｂにおいて指紋検出を開始可能な状態に設定する機能が含まれる。
また、指紋検出を開始可能な状態に設定した後に、指紋検出が完了するか、或いは所定時間経過しても指紋検出が行われなかった場合には、指紋検出を開始可能な状態を終了する、制御部１８としての機能が含まれる。
【００３９】
主制御部１８０はまた、上記した、通信部１１、操作部１２、ＣＯＤＥＣ部１３、表示部１４、撮像部１５、センサ入力部１６（タッチセンサ１６１、指紋センサ１６２）、記憶部１７等、周辺制御ブロックとのインタフェースも司る。
【００４０】
図５は、本発明の実施の一形態に係る携帯電子機器（携帯電話機１０）の動作を示すフローチャートである。
以下、図５のフローチャートを参照しながら、図１〜図４に示す本発明の実施の形態に係る携帯電子機器（携帯電話機１０）の動作について詳細に説明する。
【００４１】
制御部１８（主制御部１８０）は、まず、指紋センサ１６２に電源を供給し、あるいは電源供給を再開し（ステップＳ１０１：電源ＯＮ）、領域判定部１８４は、接触情報取得部１８１、直交座標変換部１８３により、指紋センサ１６２の上側に位置するタッチセンサ１６１の図３（ａ）の第１被接触領域Ａの領域ａに指が接触したか否かを判定する（ステップＳ１０２）。
ここで、第１被接触領域Ａの領域ａに指が接触したと判定された場合（ステップＳ１０２“Ｙｅｓ”）、主制御部１８０は、モード制御部１８５を起動し、モード制御部１８５により、指紋センサ１６２のスキャン方向を上から下方向に設定することにより、指紋センサ１６２を待機モードに設定し（ステップＳ１０３）、検出モードに遷移させる（ステップＳ１１０）。検出モードに遷移すると、指紋情報検知部１８２に制御が移り、指紋情報検知部１８２は、第２被接触領域Ｂ（第２被接触領域Ｂの他方側に位置する第１被接触領域の他方側領域）で指の接触があったタイミングで指紋検出を開始し、当該指紋検出が正常に行われた後（ステップＳ１１１“Ｙｅｓ”）に休止モードに遷移し、上記した一連の処理を終了する。なお、指紋検出が正常に行われなかった場合は（ステップＳ１１１“Ｎｏ”）、所定時間経過するまで、検出モードによる指紋情報検知を繰り返し（ステップＳ１１２“Ｎｏ”、Ｓ１１０、Ｓ１１１）、所定時間経過後に（ステップＳ１１２“Ｙｅｓ”）、休止モードに遷移し、上記した一連の処理を終了する。
【００４２】
一方、ステップＳ１０２における指の接触有無の判定処理において、指が接触していないと判定された場合（ステップＳ１０２“Ｎｏ”）、主制御部１８０による制御の下、領域判定部１８４は、接触情報取得部１８１、直交座標変換部１８３により、指紋センサ１６２の左側に位置するタッチセンサ１６１が図３（ｃ）の第１被接触領域Ａの領域ｃに指が触れたか否かを判定する（ステップＳ１０４）。
ここで、接触したと判定された場合（ステップＳ１０４“Ｙｅｓ”）、主制御部１８０による制御の下、モード制御部１８５は、指紋センサ１６２のスキャン方向を左から右方向に設定し、指紋センサ１６２を待機モードに設定し（ステップＳ１０５）、検出モードに遷移させる（ステップＳ１１０）。検出モードに遷移すると、指紋情報検知部１８２に制御が移り、指紋情報検知部１８２は、第２被接触領域Ｂ（第２被接触領域Ｂの他方側に位置する第１被接触領域の他方側領域）で指の接触があったタイミングで指紋検出を開始し、当該指紋検出が正常に行われた後（ステップＳ１１１“Ｙｅｓ”）に休止モードに遷移し、上記した一連の処理を終了する。なお、指紋検出が正常に行われなかった場合は（ステップＳ１１１“Ｎｏ”）、所定時間経過するまで、検出モードによる指紋情報検知を繰り返し（ステップＳ１１２“Ｎｏ”、Ｓ１１０、Ｓ１１１）、所定時間経過後に（ステップＳ１１２“Ｙｅｓ”）、休止モードに遷移し、上記した一連の処理を終了する。
【００４３】
一方、ステップＳ１０４における指の接触有無の判定処理において、指が接触していないと判定された場合（ステップＳ１０４“Ｎｏ”）、主制御部１８０による制御の下、領域判定部１８４は、接触情報取得部１８１、直交座標変換部１８３により、更に、指紋センサ１６２の下側に位置するタッチセンサ１６１の図３（ｂ）の第１被接触領域Ａの領域ｂに指が触れたか否かを判定する（ステップＳ１０６）。
ここで、接触したと判定された場合（ステップＳ１０６“Ｙｅｓ”）、主制御部１８０による制御の下、モード制御部１８５は、指紋センサ１６２のスキャン方向を下から上方向に設定して指紋センサ１６２を待機モードに設定し（ステップＳ１０７）、検出モードに遷移させる（ステップＳ１１０）。検出モードに遷移すると、指紋情報検知部１８２に制御が移り、指紋情報検知部１８２は、第２被接触領域Ｂ（第２被接触領域Ｂの他方側に位置する第１被接触領域の他方側領域）で指の接触があったタイミングで指紋検出を開始し、当該指紋検出が正常に行われた後（ステップＳ１１１“Ｙｅｓ”）に休止モードに遷移し、上記した一連の処理を終了する。なお、指紋検出が正常に行われなかった場合は（ステップＳ１１１“Ｎｏ”）、所定時間経過するまで、検出モードによる指紋情報検知を繰り返し（ステップＳ１１２“Ｎｏ”、Ｓ１１０、Ｓ１１１）、所定時間経過後に（ステップＳ１１２“Ｙｅｓ”）、休止モードに遷移し、上記した一連の処理を終了する。
【００４４】
一方、ステップＳ１０６における指の接触有無の判定処理において、指が接触していないと判定された場合（ステップＳ１０６“Ｎｏ”）、主制御部１８０は、更に、接触情報取得部１８１により、指紋センサ１６２の右側に位置するタッチセンサ１６１の図３（ｄ）の第１被接触領域Ａの領域ｄに指が触れたか否かを判定する（ステップＳ１０８）。
ここで、接触したと判定された場合（ステップＳ１０８“Ｙｅｓ”）、主制御部１８０による制御の下、モード制御部１８５は、指紋センサ１６２のスキャン方向を右から左方向に設定して指紋センサ１６２を待機モードに設定し（ステップＳ１０９）、検出モードに遷移させる（ステップＳ１１０）。検出モードに遷移すると、指紋情報検知部１８２に制御が移り、指紋情報検知部１８２は、第２被接触領域Ｂ（第２被接触領域Ｂの他方側に位置する第１被接触領域の他方側領域）で指の接触があったタイミングで指紋検出を開始し、当該指紋検出が正常に行われた後（ステップＳ１１１“Ｙｅｓ”）に休止モードに遷移し、上記した一連の処理を終了する。なお、指紋検出が正常に行われなかった場合は（ステップＳ１１１“Ｎｏ”）、所定時間経過するまで、検出モードによる指紋情報検知を繰り返し（ステップＳ１１２“Ｎｏ”、Ｓ１１０、Ｓ１１１）、所定時間経過後に（ステップＳ１１２“Ｙｅｓ”）、休止モードに遷移し、上記した一連の処理を終了する。
【００４５】
なお、ステップＳ１０８における指の接触有無の判定処理において、指が接触していないと判定された場合は（ステップＳ２０６“Ｎｏ”）、休止モードに遷移し、上記した一連の処理を終了する。
【００４６】
なお、指紋センサ１６２に電源を供給後、タイマ監視により所定時間指の接触が検出されない場合、主制御部１８０は、所定時間経過後に指紋センサ１６２に対する電源供給を停止してもよい。このことにより、一層の省電力化がはかれる。
また、タッチセンサ１６１についても同様、所定時間指の接触が無い状態においては、第１被接触領域Ａの全てを監視することなく、例えば、中央部のみ、あるいは間引き走査等を行うことで省電力化に寄与できる。
【００４７】
上記した様に、本発明の実施の形態に係る携帯電子機器によれば、制御部１８（主制御部１８０）は、タッチセンサ１６１にて指が接触したことを検知したタイミングで指紋センサ１６２を検出可能な状態（待機モード）に設定するため、指紋センサ１６２における指紋検出を常に行う場合に比較して消費電力を低減することができる。
また、指が第１被接触領域Ａに触れ、その後、第２被接触領域Ｂ上で指を走査させることにより、指紋検出を開始させるための指の移動と、指紋検出を行う指の走査とをシームレスに行うことができる。
【００４８】
なお、制御部１８（主制御部１８０）は、モード制御部１８５により指紋センサ１６２を待機モードに設定して指紋検出を開始可能な状態にした後、指紋情報検出部１８２を起動し、指紋情報検出部１８２により、指紋検出を開始し、当該指紋検出後に指紋検出を終了する。
ここで検出された指紋情報は指紋認証部１８６に引き渡され、指紋認証部１８６は、検出された指紋情報から、例えば、特徴点（端点、分岐点）を抽出して記憶部１７の作業領域に特徴点情報を保持し、他の領域に格納されてある特徴点からなる登録データと照合することで検出された指紋情報の認証を行う。
【００４９】
上記した本発明の実施の形態に係る携帯電子機器によれば、タッチセンサ１６１のある領域で指が接触したことを検知したタイミングで指紋検出を開始するとともに、指紋検出が完了するか、或いは所定時間経過しても指紋検出が行われなかった場合には、指紋検出を開始可能な状態を終了する。
このため、指紋センサ１６２における指紋検出を常に行う場合に比較して消費電力を低減できる。
【００５０】
図６は、本発明の他の実施の形態に係る携帯電子機器（携帯電話機１０）の動作を示すフローチャートである。
ここでは、図７に、センサ入力部１６（タッチセンサ１６１と指紋センサ１６２）の実装配置の一例が示されるように、指紋センサ１６２がセンサ入力部１６の上部に実装配置されている。ここで、上部とは、図７にハッチング表記された領域を示す。
【００５１】
以下、図６のフローチャートを参照しながら、本発明の他の実施の形態に係る携帯電子機器（携帯電話機１０）の動作について詳細に説明する。
【００５２】
制御部１８（主制御部１８０）は、まず、指紋センサ１６２に電源を供給し、スキャン方向をデフォルト設定にしたがい上から下方向に設定する（ステップＳ２０１）。
次に、領域判定部１８４は、接触情報取得部１８１、直交座標変換部１８３により、指紋センサ１６２の左に位置するタッチセンサ１６１の第１被接触領域Ａに指が接触したか否かを判定する（ステップＳ２０２）。
ここで、第１被接触領域Ａに指が接触したと判定された場合（ステップＳ２０２“Ｙｅｓ”）、主制御部１８０は、モード制御部１８５により、指紋センサ１６２のスキャン方向を左から右方向に設定して指紋センサ１６２を待機モードに設定し（ステップＳ２０３）、検出モードに遷移させる（ステップＳ２０８）。
検出モードに遷移すると、指紋情報検知部１８２に制御が移り、指紋情報検知部１８２は、第２被接触領域Ｂ（第２被接触領域Ｂの他方側に位置する第１被接触領域の他方側領域）で指の接触があったタイミングで指紋検出を開始し、当該指紋検出が正常に行われた後（ステップＳ２０９“Ｙｅｓ”）、休止モードに遷移し、上記した一連の処理を終了する。なお、指紋検出が正常に行われなかった場合は（ステップＳ２０９“Ｎｏ”）、所定時間経過するまで、検出モードによる指紋情報検知を繰り返し（ステップＳ２１０“Ｎｏ”、Ｓ２０８、Ｓ２０９）、所定時間経過後（ステップＳ２１０“Ｙｅｓ”）、休止モードに遷移し、上記した一連の処理を終了する。
【００５３】
一方、ステップＳ２０２における指の接触有無の判定処理において、指が接触していないと判定された場合（ステップＳ２０２“Ｎｏ”）、主制御部１８０による制御の下、領域判定部１８４は、接触情報取得部１８１、直交座標変換部１８３により、指紋センサ１６２の下部に位置するタッチセンサ１６１に指が触れたか否かを判定する（ステップＳ２０４）。
ここで、接触したと判定された場合（ステップＳ２０４“Ｙｅｓ”）、主制御部１８０による制御の下、モード制御部１８５は、指紋センサ１６２のスキャン方向を下から上方向に設定し、指紋センサ１６２を待機モードに設定し（ステップＳ２０５）、検出モードに遷移させる（ステップＳ２０８）。
検出モードに遷移すると、指紋情報検知部１８２に制御が移り、指紋情報検知部１８２は、第２被接触領域Ｂ（第２被接触領域Ｂの他方側に位置する第１被接触領域の他方側領域）で指の接触があったタイミングで指紋検出を開始し、当該指紋検出が正常に行われた後（ステップＳ２０９“Ｙｅｓ”）、休止モードに遷移し、上記した一連の処理を終了する。なお、指紋検出が正常に行われなかった場合は（ステップＳ２０９“Ｎｏ”）、所定時間経過するまで、検出モードによる指紋情報検知を繰り返し（ステップＳ２１０“Ｎｏ”、Ｓ２０８、Ｓ２０９）、所定時間経過後（ステップＳ２１０“Ｙｅｓ”）、休止モードに遷移し、上記した一連の処理を終了する。
【００５４】
一方、ステップＳ２０４における指の接触有無の判定処理において、指が接触していないと判定された場合（ステップＳ２０４“Ｎｏ”）、主制御部１８０は、更に、接触情報取得部１８１により、指紋センサ１６２の右側に位置するタッチセンサ１６１に指が触れたか否かを判定する（ステップＳ２０６）。
ここで、接触したと判定された場合（ステップＳ２０６“Ｙｅｓ”）、主制御部１８０による制御の下、モード制御部１８５は、指紋センサ１６２のスキャン方向を右から左方向に設定して指紋センサ１６２を待機モードに設定し（ステップＳ２０７）、検出モードに遷移させる（ステップＳ２０８）。
検出モードに遷移すると、指紋情報検知部１８２に制御が移り、指紋情報検知部１８２は、第２被接触領域Ｂ（第２被接触領域Ｂの他方側に位置する第１被接触領域の他方側領域）で指の接触があったタイミングで指紋検出を開始し、当該指紋検出が正常に行われた後（ステップＳ２０９“Ｙｅｓ”）、休止モードに遷移し、上記した一連の処理を終了する。なお、指紋検出が正常に行われなかった場合は（ステップＳ２０９“Ｎｏ”）、所定時間経過するまで、検出モードによる指紋情報検知を繰り返し（ステップＳ２１０“Ｎｏ”、Ｓ２０８、Ｓ２０９）、所定時間経過後（ステップＳ２１０“Ｙｅｓ”）、休止モードに遷移し、上記した一連の処理を終了する。
【００５５】
なお、ステップＳ２０６における指の接触有無の判定処理において、指が接触していないと判定された場合は（ステップＳ２０６“Ｎｏ”）、休止モードに遷移し、上記した一連の処理を終了する。
【００５６】
上記した本発明の他の実施の形態に係る携帯電子機器によれば、指紋センサ１６２がセンサ入力部１６の上部に実装配置されていても、図３（ａ）（ｂ）（ｃ）（ｄ）に示す実施の形態（タッチセンサ１６１内に指紋センサ１６２が実装配置）と同様、制御部１８（主制御部１８０）は、タッチセンサ１６１にて指が接触したことを検知したタイミングで指紋センサ１６２を検出可能な状態（待機モード）に設定するため、指紋センサ１６２における指紋検出を常に行う場合に比較して消費電力を低減することができる。
【００５７】
なお、図７に示したセンサ入力部１６の実装配置例において、ハッチング表記された領域（すなわち、指紋センサ１６２の左右および下方向の領域）は、ユーザにとっては、指紋センサ１６２が配置されただけの領域として認識され、このため、第１被接触領域Ａとしては他の領域のみしか割当てられていないように認識される。
但し、ハッチングされた領域の一部にタッチセンサ１６１を配置しているが、この領域は、指紋センサ１６２のスキャン方向の設定用として使用するため、ユーザに、タッチセンサ１６１と指紋センサ１６２が別デバイス（モジュール）であると認識させるようにしてもよい。
【００５８】
以上説明のように、本発明の携帯電子機器によれば、タッチセンサ１６１と指紋センサ１６２の双方を搭載した場合に、双方における接触の有無を、無駄なく監視することが可能になり、省電力化に寄与することができる。
【００５９】
なお、図８に、センサ入力部１６上での指の移動軌跡の一例が示されるように、制御部１８（主制御部１８０）は、センサ入力部１６上で指の特定の動きを検知することにより、例えば、ユーザが矢印で示す→↓←↑方向に順次指を移動させた場合に反応するようにあらかじめ設定することが可能である。
これにより、例えば、↓方向の最終到達地点（その時点でのｘｙ座標）にて指紋センサ１６２に対し電源を供給し、待機モードに設定することも考えられる。
このとき、制御部１８（主制御部１８０）は、指の特定の動きを検出すると、第２被接触領域Ｂにおいて、指紋検出を開始可能な状態に設定するものである。
【００６０】
なお、上記した本発明の実施の形態に係る携帯電子機器として、携帯電話機１０のみ例示したが、携帯電話機１０に限らず、ＰＤＡ（Personal Digital Assistants）、やゲーム機等にも同様に適用が可能である。
【００６１】
また、本発明の実施の形態に係る携帯電子機器が有する各構成ブロックの機能は、全てをソフトウェアによって実現しても、あるいはその少なくとも一部をハードウェアで実現してもよい。例えば、第２被接触領域Ｂが第１被接触領域Ａに隣接して位置する場合、第１被接触領域Ａにて指の接触があったことを検知すると（例えば、図３（ａ）の領域ａにて指の接触を検知）、第２被接触領域Ｂにおいて、指紋検出を開始可能な状態に設定する機能を有する。
また、制御部１８は、第２被接触領域Ｂが第１被接触領域Ａ内に位置する場合（例えば、図３（ａ）（ｂ）（ｃ）（ｄ））、第１被接触領域Ａのある領域（例えば、図３（ａ）の領域ａ）で指の接触があったことを検知すると、第２被接触領域Ｂにおいて指紋検出を開始可能な状態に設定し、その後、指紋検出が完了するか、或いは所定時間経過しても指紋検出が行われなかった場合には、指紋検出を開始可能な状態を終了する制御部１８におけるデータ処理は、１または複数のプログラムによりコンピュータ上で実現してもよく、また、その少なくとも一部をハードウェアで実現してもよい。
【図面の簡単な説明】
【００６２】
【図１】本発明の実施の形態に係る携帯電子機器の外観構造の一例を示す図である。
【図２】本発明の実施の形態に係る携帯電子機器の電気系の内部構成を示すブロック図である。
【図３】本発明の実施の形態に係る携帯電子機器のセンサ入力部の実装配置、および指の移動軌跡の一例を示す図である。
【図４】本発明の実施の形態に係る携帯電子機器の制御部が実行するプログラムの構造を機能展開して示したブロック図である。
【図５】本発明の実施の形態に係る携帯電子機器の動作を示すフローチャートである。
【図６】本発明の他の実施の形態に係る携帯電子機器の動作を示すフローチャートである。
【図７】本発明の実施の形態に係る携帯電子機器のセンサ入力部の他の実装配置例を示す図である。
【図８】本発明の実施の形態に係る携帯電子機器のセンサ入力部における指の移動軌跡の他の例を示す図である。
【符号の説明】
【００６３】
１０…携帯電話機、１１…通信部、１２…操作部、１３…ＣＯＤＥＣ部、１４…表示部、１５…撮像部、１６…センサ入力部、１７…記憶部、１８…制御部、１９…システムバス、１０２…下部筐体、１６１…タッチセンサ、１６２…指紋センサ、１８１…接触情報取得部、１８２…指紋情報検知部、１８３…直交座標情報変換部、１８４…領域判定部、１８５…モード制御部、１８６…指紋認証部。
【図１】
0005160294.tif 000002
【図２】
0005160294.tif 000003
【図３】
0005160294.tif 000004
【図４】
0005160294.tif 000005
【図５】
0005160294.tif 000006
【図６】
0005160294.tif 000007
【図７】
0005160294.tif 000008
【図８】
0005160294.tif 000009